(57)【要約】      （修正有）【課題】取付け、取外しの簡単なネスティングラック用の中間棚を提供する。【解決手段】複数の本体を入れ子式に収納できる四方に配置した支柱２の底部又は上部に棚板３を固定したネスティングラック本体１の中間部に配置される中間棚本体８と、各支柱２に抱持させる両側面が垂直平面で、前後面が角錐斜面となっている弾性のストッパー１０がある。中間棚本体８の前部には前部支柱のストッパーの内側面の垂直平面に当接するアングル平面１５と、前部角錐斜面に当接するアングル斜面１６を有する前部アングル材１４、１７がある。また、中間棚本体８の後部には後部支柱２３、２４のストッパーの内側面の垂直平面に当接するアングル平面と、後部の角錐斜面に当接するアングル斜面を有する後部アングル材２５、２９がある。アングル材をストッパーに係合させて中間棚とする。【選択図】図２
0003227417.tif 000002
【実用新案登録請求の範囲】
【請求項１】
複数の本体を入れ子式に収納できる四方に配置した支柱の底部又は上部に棚板を固定したネスティングラック本体の各支柱に抱持させる両側面が垂直平面で、前後面が角錐斜面となっている弾性のストッパーを有し、
上記ネスティングラック本体の中間部に配置される中間棚本体を備え、
該中間棚本体の前部には前部支柱のストッパーの内側面の垂直平面に当接するアングル平面と、前部角錐斜面に当接するアングル斜面を有する前部アングル材を設け、
該中間棚本体の後部には後部支柱のストッパーの内側面の垂直平面に当接するアングル平面と、後部角錐斜面に当接するアングル斜面を有する後部アングル材を設けた
ネスティングラックの中間棚。
【請求項２】
上記ネスティングラック本体の支柱は、４角柱状をしている請求項１に記載のネスティングラックの中間棚。
【請求項３】
上記ネスティングラック本体の前部支柱は、前部の内側隅部が斜平面となった５角柱状をしている請求項１に記載のネスティングラックの中間棚。
【請求項４】
上記弾性のストッパーの内面には、円形状、筋状、波状その他の上記支柱に対する摩擦用突起を設けた請求項１〜３のいずれかに記載のネスティングラックの中間棚。
【請求項５】
上記中間棚本体は、格子状に形成されている請求項１〜４のいずれかに記載のネスティングラックの中間棚。
【考案の詳細な説明】
【技術分野】
【０００１】
本考案は、ネスティングラックの中間棚に関するものである。
【背景技術】
【０００２】
各種物品の物流を円滑に行う為に、物流センターなどを設けて、各種物品の受入れ、保管、出荷などの作業が行われている。
物流センターなどにおいては限られたスペースを有効に使用して各種物品を保管し、搬出するために、ネスティングラックと言われる収納ラックを使用し、これを積み重ねるようにして各種物品の収納を効率化している。
【０００３】
このネスティングラックには、底部に棚板を固定した通常のネスティングラックと、上部に棚板を固定した逆ネスティングラックがあるが、いずれのものにおいてもネスティングラックに収納する物品が小さかったり、高さの低いものの場合には、ネスティングラックの上部に大きな未収納空間ができてしまい、ネスティングラックを有効に使用することができなかった。
【０００４】
こうしたことを解消するために、左右の前方支柱の中間部に前方に突出する突起を設けると共に、左右の後方支柱の中間部をつなぐ梁を設け、この突起と梁によって中間部用の棚枠を固定するようなものが提供されている。（特許文献１）
こうしたものは、ネスティングラックの中間部に棚枠を設けることができるけれども、中間部の棚枠を自由な高さの位置に配置することができないし、既存のネスティングラックをそのまま使用して中間部棚枠を設けることができるものではなかった。
【先行技術文献】
【特許文献】
【０００５】
【特許文献１】実用新案登録第３１９４３４９号公報
【考案の概要】
【考案が解決しようとする課題】
【０００６】
本考案は、ネスティングラックの中間部の任意の位置に中間棚を配置することができると共に、その設置を簡単に行うことができ、また、ネスティングラックに新たな加工を施すことなく、既存のネスティングラックにそのまま配置することができるようなものを得ようとするものである。
【課題を解決するための手段】
【０００７】
本考案は、複数の本体を入れ子式に収納できる四方に配置した支柱の底部又は上部に棚板を固定したネスティングラック本体の中間部に配置される中間棚本体と、上記各支柱に抱持させる両側面が垂直平面で、前後面が角錐斜面となっている弾性のストッパーを備えている。そして、上記中間棚本体の前部には前部支柱のストッパーの内側面の垂直平面に当接するアングル平面と、前部角錐斜面に当接するアングル斜面を有する前部アングル材を設けている。また、この中間棚本体の後部には後部支柱のストッパーの内側面の垂直平面に当接するアングル平面と、後部角錐斜面に当接するアングル斜面を有する後部アングル材を設けており、ネスティングラックの中間棚とするものである。
【考案の効果】
【０００８】
本考案によれば、ネスティングラックの支柱の任意の高さの箇所に弾性を有するストッパーを抱持させ、中間棚本体の４隅に設けたアングル材を上記ストッパーに係合させることによって、簡単に所望の位置に中間棚を配置することができる。
そして、配置した中間棚に物品を収納したとき、物品の荷重はアングル材を介してストッパーの角錐斜面に作用するようになって、係合状態が一層確実になり、中間棚が下方にずり落ちてくるようなことも無くなる。
また、ネスティングラック本体には新たに特別な加工を施す必要がないので、既存のネスティングラックに対して、そのまま使用することができる。
【図面の簡単な説明】
【０００９】
【図１】本発明の実施例を示す斜視図である。
【図２】図１に示すものの取付け状態を示す説明図である。
【図３】図１に示す中間棚の斜視図である。
【図４】図１に示すものの支柱における中間棚の固定状態を示す一部を拡大して示す説明図である。
【図５】図１に示すストッパーの拡大斜視図である。
【図６】ストッパーの変形例の拡大斜視図である。
【図７】前部アングル材の拡大斜視図である。
【図８】後部アングル材の拡大斜視図である。
【図９】前部アングル材とストッパーの係合状態を示す拡大斜視図である。
【図１０】後部アングル材とストッパーの係合状態を示す拡大斜視図である。
【図１１】前部アングル材の変形例の拡大斜視図である。
【図１２】後部アングル材の変形例の拡大斜視図である。
【考案を実施するための形態】
【００１０】
ネスティングラック本体１の四方には支柱２が設けてあり、こうした支柱２の底部に棚板３があって、上記支柱２と固定されている。四方の支柱２の上部は前方を除いて桁杆４によって連結されており、前部支柱２１、２２間の間隔が、後部支柱２３、２４間の間隔よりも広く形成されていて、複数のネスティングラック本体１を入れ子式に収納することができるようになっている。
【００１１】
このネスティングラック本体１は、底部の棚板３部に設けた適宜の係合手段５と、上部の桁杆４に設けた係合手段６によって、安定的に積み重ねできるようになっている。
図に示すものでは、ネスティングラック本体１の底部に棚板３を設け、上部に桁杆４を設けているが、上部に棚板を設け、底部に桁杆を設けるようにした、逆ネスティングラックであってもよい。
【００１２】
上記ネスティングラック本体１の中間部には中間棚７を配置することができる。これの中間棚本体８はネスティングラック本体１内に収まる大きさを有し、重量用又は軽量用として収納物品を載置できるように図示する格子状の他、簀の子枠状、板状、網枠状その他の適宜の形状に形成されている。
上記ネスティングラック本体１は、通常、鋼材などの金属で形成されているので、中間棚本体８も鋼材などの金属で形成することが多いが、軽金属、合成樹脂や、場合によっては木材などの適宜の材料で形成することができる。
【００１３】
この中間棚７をネスティングラック本体１に配置する場合、収納する物品の高さ、大きさなどに応じて各支柱２の中間部の所望する高さの位置に、ストッパー１０を配置する。
こうしたストッパー１０は、例えば、ゴム、軟質ポリ塩化ビニルなどのプラスチック、その他の材料で形成された適度の弾性を有しているものである。
【００１４】
図示するものでは、角柱上の支柱２に、ストッパー１０の切り欠き部１１から拡げて外方より嵌め合わせて抱持するようにしている。このストッパー１０の外面は、支柱２に抱持させたものの両側面が垂直平面１２となっており、前後面が角錐斜面１３となっていて、下記する中間棚本体８に設けたアングル材と係合したときに、適度に変形して中間棚７を確実に支持することができる。
【００１５】
上記ストッパー１０は、図６に示すように係止凸出部３１と係止凹入部３１を設けて、嵌め合わせ出来るようにしたりして、適宜の構造のものとすることができる。
なお、上記各ストッパー１０の両側面と前後面は相対的な位置関係を表すものであり絶対的な位置関係を示すものではない。
また、上記各支柱２には、ストッパー１０の高さの位置合わせが容易にできるように、高さを示す複数の目印を設けると良く、例えば、シールを貼ったり、刻印を付けたりすることによって目印を設けたりする。
【００１６】
こうしたストッパー１０の内面には、図に示すような円形状（図５）、横縞状（図６）その他の適宜形状をした上記支柱に対する摩擦用突起２０を設けておき、中間棚７を配置したときの支柱２に対する抱持状態をより強くするようにすることができる。
【００１７】
上記中間棚本体８の前部には、前部支柱２１に抱持されているストッパー１０の内側面の垂直平面１２に当接するアングル平面１５と共に、前面の角錐斜面１３に当接するアングル斜面１６を備えた前部アングル材１４を設けている。
もう一方の前部支柱２２側には、上記前部アングル材１４と対称的な前部アングル材１７を設けている。
【００１８】
上記中間棚本体８の後部には、後部支柱２３に抱持されているストッパー１０の外側面の垂直平面１２に当接するアングル平面２６と共に、後面の角錐斜面１３に当接するアングル斜面２７を備えた、取付けステー２８を有する後部アングル材２５を設けている。
もう一方の後部支柱２４側には、上記後部アングル材２５と対称的な後部アングル材２９を設けている。
こうしたアングル材１４、１７、２５、２９は、通常、溶接によって中間棚本体８に固定されるが、取付け孔を設けてネジ止め、その他によって固定することもできる。
【００１９】
上記した前部アングル材１４、１７には、図１１に示すように中間棚本体８の底部に当接する支持部片１９を設けておくと、前部アングル材と中間棚本体８との固定状態を一層安定的にすることができる。
こうした支持部片１９は、図１２に示すように後部アングル材２５、２９にも同様に設けるようにすることができる。
図示のものでは、上記アングル材を中間棚本体８に固定するために使用する長孔の取付け孔１８を設けている。
【００２０】
これを使用する場合、中間棚７を取り付けたい位置を設定し、四方に位置する支柱２のそれぞれに上記ストッパー１０を嵌め付ける。
中間棚７を斜めにしてネスティングラック本体１内に差入れ、いずれか一側方の前部アングル材１４と後部アングル材２５を前部支柱２１と後部支柱２３に嵌め付けているストッパー１０に係合し、中間棚７を水平状態に移動させながら、他側方の前部アングル材１７と後部アングル材２９を前部支柱２２と後部支柱２４に嵌め付けているストッパー１０に係合するようにすれば、中間棚７を所望の中間位置に配置することができる。
【００２１】
こうした中間棚７の上に物品を載せたとき、物品の荷重は中間棚本体８の四方に配置した前部アングル材１４、１７及び後部アングル材２５、２９に設けたアングル斜面１６、２７が各支柱２に抱持されているストッパー１０の角錐斜面１３に沿って押圧するようになり、中間棚７とネスティングラック本体１の支柱２間の係合状態が一層強固になり、中間棚７上の物品を安定的に保持することができるようになる。
【００２２】
上記の図示するものでは、前部支柱２１、２２が４角柱状に形成されているが、この前部支柱は４角柱状の内側の前部隅部を取り除いて斜平面とした５角柱状となっているものであっても、上記と同様にして中間棚７を配置することができる。
【００２３】
中間棚７が不要になったときには、中間棚７のいずれか一側方を上に持ち上げて、前部アングル材１７と後部アングル材２９を前部支柱２２と後部支柱２４に嵌め付けているストッパー１０から引き離し、中間棚７を斜めにして他側方の前部アングル材１４と後部アングル材２５を前部支柱２１と後部支柱２３に嵌め付けているストッパー１０から引き離せば、中間棚７を取り外すことができる。
【００２４】
そして、必要に応じて支柱２に嵌め付けているストッパー１０を取り外せばよいが、このストッパーは、通常、支柱に嵌め付けた状態のままでもネスティングラック本体１の使用の邪魔にはならないので、中間棚７の再度の使用を考えて嵌め付けたままにしておくこともできる。
【００２５】
上記した中間棚７の上記ネスティングラック本体１への取付けと取外しは、上記したものの他側方からも行うことができ、作業者の操作のし易さや、ネスティングラック本体１の配置状態などに応じて自由に選ぶことができる。
【００２６】
また、上記したものでは、中間棚７をネスティングラック本体１に１段設けたものを説明してきたが、こうした中間棚は上記と同様にして複数段にして設けることも自由に行うことができる。
【符号の説明】
【００２７】
１    ネスティングラック本体
２    支柱
２１、２２  前部支柱
２３、２４  後部支柱
３    棚板
４    桁杆
７    中間棚
８    中間棚本体
１０  ストッパー
１１  ストッパーの切り欠き部
１２  ストッパーの垂直平面
１３  ストッパーの角錐斜面
１４、１７  前部アングル材
１５、２６  アングル平面
１６、２７  アングル斜面
２５、２９  後部アングル材
【図１】
0003227417.tif 000003
【図２】
0003227417.tif 000004
【図３】
0003227417.tif 000005
【図４】
0003227417.tif 000006
【図５】
0003227417.tif 000007
【図６】
0003227417.tif 000008
【図７】
0003227417.tif 000009
【図８】
0003227417.tif 000010
【図９】
0003227417.tif 000011
【図１０】
0003227417.tif 000012
【図１１】
0003227417.tif 000013
【図１２】
0003227417.tif 000014